(57)【要約】      （修正有） 【課題】和服やミニチュア着物等の表に描かれた絵柄を見せるだけでなく、裏面も同時に見せることのできる展示器具を提供する。【解決手段】展示器具１は、片面が鏡に構成された複数枚の板部材２と、展示物５を展示する竿７とで構成される。各板部材は、三面鏡のように互いに連結されて後側に傾斜した状態で起立され、それらの前方に展示物を宙に浮かせた状態で展示する。【選択図】図１
0003187970.tif 000002
【実用新案登録請求の範囲】
【請求項１】
三面鏡と、該三面鏡の前方で宙に浮かせた状態で展示する展示物と、該展示物を吊り下げる竿とを備えた展示器具であって、前記三面鏡は、後側に傾斜した状態で起立するよう立て掛けられ、該三面鏡の前側上部には、前記竿を取り付ける取付具が設けられていることを特徴とする展示器具。
【請求項２】
前記三面鏡が１枚の合成樹脂製の鏡板を曲げて形成されている請求項１に記載の展示器具。
【請求項３】
前記三面鏡の背面側の鏡板の上部に庇状に鏡が取り付けられていることを特徴とする請求項１又は２に記載の展示器具。
【考案の詳細な説明】
【技術分野】
【０００１】
本考案は、表裏に装飾が施された和服やそれを模したミニチュア着物等を表側から見せることのできる展示器具に関する。
【背景技術】
【０００２】
和服を広げた状態で展示する器具としては、古くから衣桁が知られている。また、ミニチュア着物の展示器具としては、下記特許文献に記載のものが知られている。これらの特許文献に記載のものは、何れも古来の衣桁に似せた形態であり、床に設置することを基本としている。
【先行技術文献】
【特許文献】
【０００３】
【特許文献１】実用新案登録第３０４８９６６号公報
【特許文献２】実用新案登録第３１１５３２８号公報
【考案の概要】
【考案が解決しようとする課題】
【０００４】
ところが、和服やミニチュア着物を衣桁に掛けて展示する方法では、着物の絵柄全体が表に出ないという致命的な欠点がある。すなわち、着物の絵柄は、着物を着たときに、前側の上衽（うえおくみ）から前身頃へ、さらには、後側の後身頃へと描かれるので、特許文献２に開示された衣桁では、後身頃の絵柄が隠れてしまう問題がある。また、特許文献１に開示された衣桁では、表側の絵柄は、余すところなく見せることができるが、着物の裏側にも装飾が施されている場合は、裏側に回らなければそれを鑑賞することができない問題がある。
この問題に対処する方法としては、着物の裏側に鏡を設置する方法が考えられるが、単に鏡を設置しただけでは、衣桁が裏面の絵柄や装飾を遮るために、表裏に描かれた絵柄や装飾を表側から存分に鑑賞してもらうことができない。
本考案は、和服やミニチュア着物等の表側に描かれた絵柄や装飾だけでなく、裏側に描かれた絵柄や装飾も余すところなく鑑賞してもらうことのできる新たな展示器具を提供することを課題とする。
【課題を解決するための手段】
【０００５】
本考案に係る展示器具は、三面鏡と、該三面鏡の前方で宙に浮かせた状態で展示する展示物と、該展示物を吊り下げる竿とを備えた展示器具であって、前記三面鏡の前側上部には、前記竿を取り付ける取付具が設けられていることを特徴とする。
ここでの展示物は、和服やそれを模したミニチュア着物（以下、これらを総称して着物という。）等を対象としているが、この考案は、これに限定されるものではなく、種々の絵柄や装飾が施された表面と裏面を表側から鑑賞させるものを対象としている。したがって、たとえば、通常では、裏面を見せることのない能面等をこの考案の展示物として展示すれば、面白い展示が可能となる。
ここで使用する三面鏡は、ガラスやアクリル樹脂等で形成されている。そして、表裏に絵柄や装飾が施された着物展示物を吊り下げる竿を前記三面鏡の両サイドの鏡の前側上部に取り付ける。例えば、鏡に竿を通す貫通孔を設けても良いし、鏡の上部に竿の端部を受けるフックを設けても良い。
着物を衣桁に掛ける従来方式では、裾が床に垂れるし、裾回し（八掛）も衣桁で遮られるために、着物の表裏を鑑賞させる器具としては、満足の行くものではない。そこで、この考案では、展示物を三面鏡の前方で宙に浮かせた状態で展示することにより、着物の裾回しも表側から種々の角度で存分に鑑賞できるようにしている。
そのために、竿に着物の袖に通した状態で、着物の両側の衿先をクリップで止めて広げる紐付きクリップを使用する。クリップに取り付けられた紐は、三面鏡の両サイドの鏡の前部に固定しておく。これにより、両裾が広げられた着物を宙に浮かせた状態で展示することができる。
また、展示物が背面の鏡の前方を塞いでしまわないように、三面鏡の大きさを、展示物の大きさに対して十分大きな寸法に設定しておく。たとえば、展示物の横幅が三面鏡の前方の横幅の約１／２となるサイズに設定しておく。そうすれば、展示物の表側のみを前方に向けて展示していても、その背面に設けられた三面鏡を覗き込めば、展示物の裏面に施された絵柄や装飾を種々の角度から存分に鑑賞してもらうことができる。
【考案の効果】
【０００６】
本考案によれば、表裏に装飾が施された展示物を、その表面のみを前側に向けて展示していても、背後の鏡を覗けば、展示物の裏面に施された絵柄や装飾も前側から存分に鑑賞することができる。これまでの展示方法では、展示物の裏に回らないと、裏面に施された絵柄や装飾を鑑賞することができなかったが、この展示器具を使用すれば、前側から展示物の表裏を同時に鑑賞することができるから、狭い展示スペースや壁際に沿わせて展示した物でも、展示物の表面と裏面を前側から存分に鑑賞してもらうことができる。さらに、和服やミニチュア着物だけでなく、能面等を展示物にすると、能面の表裏を存分に見せることができるから、新たな展示スタイルを市場に提供することができる。
【図面の簡単な説明】
【０００７】
【図１】本考案に係る展示器具の第一実施形態を正面から見た外観斜視図
【図２】上記第一実施形態の側面図
【図３】上記第一実施形態の展開平面図
【図４】第二実施形態の側面図
【図５】第二実施形態の展開平面図
【図６】第三実施形態の展示器具の正面から見た外観斜視図
【図７】第三実施形態の側面図
【図８】第四実施形態の側面図
【図９】第四実施形態の展開平面図
【図１０】第五実施形態の展開平面図
【図１１】第六実施形態の展示器具の正面から見た外観斜視図
【図１２】第六実施形態の展開平面図
【図１３】第七実施形態の背面の三面鏡を正面から見た外観斜視図
【図１４】第八実施形態の背面の３枚の板部材を正面から見た外観斜視図
【考案を実施するための形態】
【０００８】
以下、図面を参照しながら、本考案に係る展示器具の実施形態を説明する。
【実施例】
【０００９】
＜第１実施形態＞
図１において、展示器具１は、複数の矩形の板部材２で構成されている。各板部材２は、片面が鏡面に形成されたガラスやアクリル樹脂等で成形され、それらの板部材２の側縁同士を互いに突き合わせ、蝶番等の連結具４を介してそれらを連結している。
こうして連結され、起立された三枚の板部材２を、隣接する板部材２の各鏡面が互いに斜めに向き合うように立てかけて三面鏡のようにし、その両端の板部材２ａ、２ｂの上部に竿７を通す穴９を設け、その穴９を竿７を取り付ける取付具としている。
ここで使用する連結具４は、組み立てられた各板部材２を折り畳みやすくするもので、ここでは、一例として蝶番を使い、図３のように展開できるようにしている。また、このように展開できると、連結具４の部分で折り畳むこともできる。連結具４は、このような蝶番だけではなく、例えば、嵌め合い式に着脱できる連結具であっても良い。また、一方に磁石を、他方に鉄等の磁性体を取り付けて、それらを互いに吸着させる連結具であってもよい。連結具４をこのように着脱自在とすることにより、各板部材２を分解してコンパクトに折り畳むこともできる。そして、使用に際しては、全体を起立させてから、隣接する板部材２の鏡面が互いに斜めに向き合うように角度を調整し、その状態で使用する。
各板部材２が長方形であると、背面にある三枚の板部材２は、図１、図２に示すように鉛直方向に起立した姿勢となるが、図４、図５に示すように、両端の板部材２ａ、２ｂの底辺を斜めに傾斜させて、展示器具１全体が後ろ側に若干倒れるように形成しても良い。このようにすれば、斜め上方から展示物５を見下ろすことができるし、背面の三面鏡に映し出される展示物５の裏面も見やすくなる。
＜第２実施形態＞
図４、図５は、第２実施形態の側面図及び、展開図である。この実施形態では、板部材２ａ、２ｂの底辺を斜めにすることにより、鑑賞する者が姿勢を低くしなくても、展示物５の表裏を容易に見下ろすことが出来るようにしてある。
＜第３実施形態＞
図６は、第３実施形態の正面外観斜視図を示し、図７はその側面図を示す。第３実施形態では、中央の板部材２ｃの下端部を左右の板部材２ａ、２ｂより若干長めに形成して設置台８の溝８ａ、８ｂに差し込めるようにしている。
【００１０】
図７に示すように、設置台８に、中央の板部材２ｃの下端部を差し込む斜めの溝８ａ設けることにより、板部材２全体が後ろ側に若干倒れるように形成している。また、設置台８の裏面には、鉛直方向の溝８ｂを設けて、設置台８を裏返して使用すれば、板部材２全体が垂直に起立するようにしている。
【００１１】
設置台８に設ける溝８ａ、８ｂは、上部に取り付ける板部材２の重心位置が設置台８の中央に位置するように形成している。
また、この第３実施形態においても、三面鏡の両端の板部材２ａ、２ｂの上部に竿７を通す穴（取付具）９を開けておく。
＜第４実施形態＞
図８は、第４実施形態の側面図、図９は、その展開図である。第４実施形態は、中央の板部材２ｃの上部に表面が鏡面に形成された板部材２ｄを庇状に取り付けてある。この板部材２ｄの角度を調整することにより、展示物５の表側から、展示物の裏面を見下ろした状態で鑑賞することができるようになっている。
＜第５実施形態＞
図１０は、第５実施形態の展開図である。この実施形態では、竿７を通す穴（取付具）９に代えて、左右の板部材２ａ、２ｂの前側上部に切り込みを入れて、竿７を引っ掛ける取付具９としている。なお、この形式の取付具９は、他の実施形態全てにおいて使うことができる。
＜第６実施形態＞
図１１は、第６実施形態の正面外観斜視図を示し、図１２は、その展開図である。左右の板部材２ａ、２ｂに、取付具９としての溝を形成した板部材３を取り付け、その取付具９に、展示物５を吊るした竿７を引っ掛けて展示できるようにしている。
図１２において、取付具９が形成された板部材３は、左右の板部材２ａ、２ｂの前側上部に蝶番等で取り付けられ、折り畳めるようにしてある。
＜第７実施形態＞
図１３は、第７実施形態を示したもので、この実施形態では、これまでの三枚の板部材２からなる三面鏡を一体的に形成したものである。この実施形態では、アクリル樹脂の鏡面を内側にし、その内面を３等分する境界部分を加熱して折り曲げることにより、横方向に一体的に連結された三面鏡としている。この実施形態であっても、背面の三面鏡に展示物５の裏側を余すところなく映し出すことができる。
＜第８実施形態＞
図１４は、第８実施形態を示したもので、この実施形態では、背面の各板部材２を、六角形をした鏡の小片２０の各辺同志を互いに連結しながら半球状に寄せ集めて一枚の板部材２ａ、２ｂ、２ｃに成形したもので、このように構成すれば、各板部材２ａ、２ｂ、２ｃの小片２０に万華鏡のように、展示物５の裏側を多角的に映し出して、展示物５の背面を幻影的な映像で飾ることができる。
以上、この考案に係る展示器具の実施形態を説明したが、この展示器具で和服を展示する場合は、この展示器具を衣桁として使用することができる。特に、第４実施形態の場合には、和服を着た状態で上部の庇状の板部材２ｄを覗けば、襟ぐりから肩や背にかけて、一人で着付ける時に着付け合わせがしやすくなる。
【符号の説明】
【００１２】
１    展示器具
２    板部材
３    板部材
４    連結具
５    展示物（着物）
７    竿
８    設置台
９    取付具
１０    紐付きクリップ
２ａ    板部材
２ｂ    板部材
２ｃ    板部材
【図１】
0003187970.tif 000003
【図２】
0003187970.tif 000004
【図３】
0003187970.tif 000005
【図４】
0003187970.tif 000006
【図５】
0003187970.tif 000007
【図６】
0003187970.tif 000008
【図７】
0003187970.tif 000009
【図８】
0003187970.tif 000010
【図９】
0003187970.tif 000011
【図１０】
0003187970.tif 000012
【図１１】
0003187970.tif 000013
【図１２】
0003187970.tif 000014
【図１３】
0003187970.tif 000015
【図１４】
0003187970.tif 000016